(57)【特許請求の範囲】
【請求項１】
支持フレームと、支持フレームに設置された載置部材と、載置部材に載置された壁パネルと、支持フレームに支持された洗い場床を備えた浴室ユニットの洗い場構造において、
支持フレームは、洗い場床設置域の四辺の下側を構成するように四辺の枠状に形成され、
載置部材は、四辺の上方載置面部と、上方載置面部より低い位置の四辺の下方載置面部と、上方載置面部及び下方載置面部に接合する四辺の起立部とで、支持フレームの四辺に沿って環状に一体成型または別体部材を水密に接合して環状となし、
載置部材の下方載置面部の四辺と洗い場床の下面の間には、下方載置面部の四辺に沿って延びるシール部材が、両方へ水密状に接するように配置され、
前記洗い場床は、前記支持フレームの上面よりも低位置にある前記下方載置面部により支持される構造であることを特徴とする浴室ユニットの洗い場構造。
【請求項２】
前記洗い場床が有する脚部は、前記支持フレームが有する設置面部によって支持され、
シール部材は、載置部材の下方載置面部を介して支持フレームの設置面部と洗い場床の下面で挟圧されて弾性変形している請求項１記載の浴室ユニットの洗い場構造。
【請求項３】
支持フレームは、四辺を形成する枠部材の内側に、載置部材の下方載置面部を内嵌させると共に、枠部材の対面する一方の枠部材及び他方の枠部材を備え、
載置部材は、上方載置面部から支持フレームの一方の枠部材の外側下方へ延びる一方の連結片を、一方の枠部材の外側から連結具で一方の枠部材に連結すると共に、上方載置面部から支持フレームの他方の枠部材の内側下方へ延びる他方の連結片を、載置部材の内側から連結具で他方の枠部材に連結する請求項１又は２記載の浴室ユニットの洗い場構造。
【請求項４】
支持フレームと、支持フレームに設置される載置部材と、載置部材の上方載置面部に載置される壁パネルと、支持フレームに支持される洗い場床を用いて浴室ユニットの洗い場構造を構築する浴室ユニットの洗い場構造の施工方法において、
洗い場床設置域に、洗い場床設置域の四辺の下側を構成するように四辺の枠状に形成された支持フレームを洗い場床設置域に設置する第１工程と、
支持フレームに、四辺の上方載置面部、上方載置面部より低い位置の四辺の下方載置面部及び上方載置面部と下方載置面部を連結する四辺の起立部から、支持フレームの四辺に沿って環状に一体成型または別体部材を水密に接合して環状となした載置部材を設置する第２工程と、
載置部材の四辺の下方載置面部に、下方載置面部の四辺に沿って延びるシール部材を配置する第３工程と、
載置部材の上方載置面部の任意箇所に壁パネルを載置する第４工程と、
載置部材の四辺の下方載置面部及び洗い場床の下面にシール部材を水密状に当接させるように洗い場床を支持フレームに支持させる第５工程とからなり、
前記洗い場床は、前記支持フレームの上面よりも低位置にある前記下方載置面部により支持される構造であって、
上記工程の順番で施工するか、第１工程、第３工程、第２工程、第４工程及び第５工程の順番で施工するか、第１工程、第２工程、第４工程、第３工程及び第５工程の順番で施工するか、または、第１工程、第２工程、第３工程、第５工程及び第４工程の順番で施工することを特徴とする浴室ユニットの洗い場構造の施工方法。
【発明の詳細な説明】
【技術分野】
【０００１】
本発明は、浴室ユニットの洗い場構造及びその施工方法に関するものである。
【背景技術】
【０００２】
従来の浴室ユニットの洗い場構造には、洗い場床設置域の三辺の下側を構成する支持フレームと、支持フレームに設置された壁載置部材と、壁載置部材の上方載置面部に載置された壁パネルと、壁パネルを建て込んだ後に壁載置部材の下方載置面部に載置された洗い場床を備え、載置された洗い場床の周辺立上片と壁パネルの間にパッキンを介在させて、洗い場床の周辺立上片を浴室内側から壁パネルに対してビスで固定されたものがある（特許文献１）。
【先行技術文献】
【特許文献】
【０００３】
【特許文献１】特開２００３−２６８９９５号公報
【発明の概要】
【発明が解決しようとする課題】
【０００４】
前記浴室ユニットの洗い場構造は、載置された洗い場床の周辺立上片と壁パネルの間に隙間なくパッキンを確実に介在させることが難しく、また、洗い場床の周辺立上片を浴室内側から壁パネルに対してネジで固定することにより貫通孔が形成されるため、止水の不安がある。更に、洗い場床の周辺立上片が壁パネルに接近するため、洗い場床を設置するとき壁パネルに傷を付け易い施工態様となる。
【０００５】
本発明は、前記問題を解決するために、止水の不安のない確実な止水構造が得られると共に、壁パネルに傷を付け難い施工態様にできる浴室ユニットの洗い場構造及びその施工方法の提供を目的とする。
【課題を解決するための手段】
【０００６】
確実な止水構造が得られると共に、壁パネルに傷を付け難い施工態様にできるようにするために請求項１記載の本発明が採用した手段は、図１乃至図４に示す如く、支持フレーム２と、支持フレーム２に設置された載置部材３と、載置部材３に載置された壁パネル４と、支持フレーム２に支持された洗い場床５を備えた浴室ユニットの洗い場構造１において、支持フレーム２は、洗い場床設置域Ａの四辺の下側を構成するように四辺の枠状に形成され、載置部材３は、四辺の上方載置面部３ａと、上方載置面部３ａより低い位置の四辺の下方載置面部３ｂと、上方載置面部３ａ及び下方載置面部３ｂに接合する四辺の起立部３ｃとで、支持フレーム２の四辺に沿って環状に一体成型または別体部材を水密に接合して環状となし、載置部材３の下方載置面部３ｂの四辺と洗い場床５の下面５ａの間には、下方載置面部３ｂの四辺に沿って延びるシール部材６が、両方へ水密状に接するように配置されていることを特徴とする浴室ユニットの洗い場構造である。なお、載置部材３の下方載置面部３ｂ及び起立部３ｃとシール部材６で囲まれて、環状水受け空間部Ｕが形成されることもある。
【０００７】
載置部材の下方載置面部及び洗い場床に対するシール部材の確実な水密性を得るために請求項２記載の本発明が採用した手段は、図２及び図３に示す如く、洗い場床下面の脚部５ｃは、載置部材３を設置する支持フレーム２の設置面部２ｂに支持され、シール部材６は、載置部材３の下方載置面部３ｂを介して支持フレーム２の設置面部２ｂと洗い場床５の下面５ａで挟圧されて弾性変形している請求項１記載の浴室ユニットの洗い場構造である。
【０００８】
支持フレームの枠部材の内側に載置部材の下方載置面部を隙間バメ嵌合で内嵌させる場合であっても、載置部材を支持フレームに安定良く連結するために請求項３記載の本発明が採用した手段は、図２、図３及び図８に示す如く、支持フレーム２は、四辺を形成する枠部材２ａの内側に、載置部材３の下方載置面部３ｂを内嵌させると共に、枠部材２ａの対面する一方の枠部材２ａ−Ａ１（２ａ−Ｂ１）及び他方の枠部材２ａ−Ａ２（２ａ−Ｂ２）を備え、載置部材３は、上方載置面部３ａから支持フレーム２の一方の枠部材２ａ−Ａ１（２ａ−Ｂ１）の外側下方へ延びる一方の連結片３ｄを、一方の枠部材２ａ−Ａ１（２ａ−Ｂ１）の外側から連結具７で一方の枠部材２ａ−Ａ１（２ａ−Ｂ１）に連結すると共に、上方載置面部３ａから支持フレーム２の他方の枠部材２ａ−Ａ２（２ａ−Ｂ２）の内側下方へ延びる他方の連結片３ｅを、載置部材３の内側から連結具７で他方の枠部材２ａ−Ａ２（２ａ−Ｂ２）に連結する請求項１又は２記載の浴室ユニットの洗い場構造である。
【０００９】
確実な止水構造が得られるようにするために請求項４記載の本発明が採用した手段は、図１乃至図４に示す如く、支持フレーム２と、支持フレーム２に設置される載置部材３と、載置部材３の上方載置面部３ａに載置される壁パネル４と、支持フレーム２に支持される洗い場床５を用いて浴室ユニットの洗い場構造１を構築する浴室ユニットの洗い場構造の施工方法において、洗い場床設置域Ａに、洗い場床設置域Ａの四辺の下側を構成するように四辺の枠状に形成された支持フレーム２を洗い場床設置域Ａに設置する第１工程と、支持フレーム２に、四辺の上方載置面部３ａ、上方載置面部３ａより低い位置の四辺の下方載置面部３ｂ及び上方載置面部３ａと下方載置面部３ｂを連結する四辺の起立部３ｃから、支持フレーム２の四辺に沿って環状に一体成型または別体部材を水密に接合して環状となした載置部材３を設置する第２工程と、載置部材３の四辺の下方載置面部３ｂに、下方載置面部３ｂの四辺に沿って延びるシール部材６を配置する第３工程と、載置部材３の上方載置面部３ａの任意箇所に壁パネル４を載置する第４工程と、載置部材３の四辺の下方載置面部３ｂ及び洗い場床５の下面５ａにシール部材６を水密状に当接させるように洗い場床５を支持フレーム２に支持させる第５工程とからなり、上記工程の順番で施工するか、第１工程、第３工程、第２工程、第４工程及び第５工程の順番で施工するか、第１工程、第２工程、第４工程、第３工程及び第５工程の順番で施工するか、または、第１工程、第２工程、第３工程、第５工程及び第４工程の順番で施工することを特徴とする浴室ユニットの洗い場構造の施工方法である。
【発明の効果】
【００１０】
請求項１記載の本発明に係る浴室ユニットの洗い場構造は、洗い場床の縁部から水が漏れ出てしまった場合にも、その水が載置部材の下方載置面部及び起立部並びにシール部材で受け止められ、洗い場床の裏面側へ漏水することなく、確実な止水構造を得ることができると共に、洗い場床を壁パネルに接近させて止水する必要がなくなり、壁パネルに傷を付け難い施工態様にできる。また、洗い場床上に壁パネルが載らないため、後から洗い場床だけを外すことが可能であり、もしもシール部材に不具合が生じた場合にも、洗い場床を外してシール部材を交換することが可能である。
【００１１】
請求項２記載の本発明に係る浴室ユニットの洗い場構造は、支持フレームの設置面部に、載置部材を設置させると共に洗い場床下面の脚部を支持させることで、支持フレームの設置面部と洗い場床の下面の間に、下方載置面部と洗い場床の下面で挟圧してシール部材を弾性変形させる一定の寸法が確保されるので、下方載置面部及び洗い場床に対するシール部材６の確実な水密性を得ることができる。
【００１２】
請求項３記載の本発明に係る浴室ユニットの洗い場構造は、支持フレームの枠部材の内側に載置部材の下方載置面部を隙間バメ嵌合で内嵌させたとしても、支持フレームの一方の枠部材に対して載置部材の一方の連結片を当接又は接近させると共に、支持フレームの他方の枠部材に対して載置部材の他方の連結片を当接又は接近させるようにして、一方又は他方の少なくとも片方を当接させることができるため、連結具で連結する載置部材の一方の連結片や他方の連結片に大きな残留応力を生じさせることがなく、載置部材を支持フレームに安定良く連結することができる。
【００１３】
請求項４記載の本発明に係る浴室ユニットの洗い場構造の施工方法は、支持フレーム上に環状の載置部材を設置する第２工程と、載置部材上にシール部材を配置する第３工程で確実な止水構造を得ることができるため、施工が簡易となり、施工者によるバラツキもない。また、施工手順を変えることが可能なため、現場に応じた施工手順を採用することができる。
【図面の簡単な説明】
【００１４】
【図１】本発明に係る浴室ユニットの洗い場構造（以下、「本発明洗い場構造」と言う。）及びその施工方法（以下、「本発明施工方法」と言う。）の実施の形態を示すものであって、構築された洗い場の一部を破断した平面図である。
【図２】図１のＣ２−Ｃ２線で断面して拡大した中間省略の左側面図である。
【図３】図１のＣ３−Ｃ３線で断面して拡大した中間省略の正面図である。
【図４】同実施の形態における支持フレーム２、載置部材３、シール部材６及び洗い場床５を分離して示す斜視図である。
【図５】同実施の形態における支持フレーム２を示すものであって、図（Ａ）は平面図、図（Ｂ）は正面図である。
【図６】同実施の形態における施工の手順を示すものであって、図（Ａ）は支持フレーム２、載置部材３及びシール部材６を分離して示す中間省略の左側面図、図（Ｂ）は支持フレーム２に載置部材３を内嵌して設置した状態の中間省略の左側面図、図（Ｃ）は支持フレーム２に載置部材３を連結具７で連結した状態の中間省略の左側面図である。
【図７】同実施の形態における施工の手順を示すものであって、図（Ａ）は載置部材３を設置・連結した支持フレーム２に、洗い場床５及び壁パネル４の分離した状態を実線で示す共に設置途中の洗い場床５を二点鎖線で示す中間省略の左側面図、図（Ｂ）は構築された洗い場を示す中間省略の左側面図である。
【図８】同実施の形態における支持フレーム２の枠部材２ａの内側に載置部材３の下方載置面部３ｂを内嵌させたときに、枠部材２ａと載置部材３の間に隙間Ｇが生じる嵌め合い状態の場合の施工の手順を示すものであって、図（Ａ）は他方（後方）の枠部材２ａ−Ａ２と載置部材３の他方の連結片部３ｅの間に隙間Ｇが生じる嵌め合い状態を示す中間省略の左側面図、図（Ｂ）は一方（前方）の枠部材２ａ−Ａ１と載置部材３の一方の連結片部３ｄの間に隙間Ｇが生じる嵌め合い状態を示す中間省略の左側面図、図（Ｃ）は支持フレーム２に載置部材３を連結具７で連結した状態の中間省略の左側面図である。
【図９】支持フレーム２に対して載置部材３を連結具７で連結する別態様を示す中間省略の左側面図である。
【図１０】別形態の支持フレーム２を用いた要部を示す左側面図である。
【図１１】図１のＣ１１−Ｃ１１線で断面して拡大した左側面図である。
【図１２】図１のＣ１２−Ｃ１２線で断面して拡大した左側面図である。
【発明を実施するための形態】
【００１５】
本発明洗い場構造及び本発明施工方法を図面に示す実施の形態に基づいて説明する。
本発明洗い場構造１は、図１乃至図４に示す如く、洗い場床設置域Ａに設置された支持フレーム２と、支持フレーム２に設置された載置部材３と、載置部材３に載置された壁パネル４及び出入り口扉ユニット８と、支持フレーム２に支持された洗い場床５と、載置部材３と洗い場床５の間に配置されたシール部材６を備えている。本例の本発明洗い場構造１は、載置部材３にコーナーポスト１０及び平面ポスト１１が載置され、各ポスト１０，１１に壁パネル４及び／又は出入り口扉ユニット８が連結されている。
【００１６】
前記支持フレーム２は、亜鉛メッキ角パイプ又は亜鉛メッキ鋼板若しくはステンレス鋼板等の板材を折曲げ加工する等して形成したものを用い、図２乃至図５に示す如く、洗い場床設置域Ａの四辺の下側を構成するように四本の枠部材２ａを連結して四辺の枠状に構成され、四本の枠部材２ａの内側に形成した設置面部２ｂに、載置部材３の設置と洗い場床５の支持を行うようにしてある。枠部材２ａは、前後に対面する前側の一方の枠部材２ａ−Ａ１及び後側の他方の枠部材２ａ−Ａ２と、左右に対面する左側の一方の枠部材２ａ−Ｂ１及び右側の他方の枠部材２ａ−Ｂ２とからなり、隣接する枠部材どうしを連結してある。設置面部２ｂは、図２及び図３に示す如く、各枠部材２ａの内側に沿って枠部材２ａと別体に形成され、各枠部材２ａにビス止め、溶接又は係止する等して連結１２する場合と、図１０に示す如く、各枠部材２ａと一体に形成する場合とがある。枠部材２ａは、図４及び図５に示す如く、前側の一方の枠部材２ａ−Ａ１と後側の他方の枠部材２ａ−Ａ２を接合部材１４，１４で接合すると共に、接合部材１４と対応する左側の一方の枠部材２ａ−Ｂ１又は右側の他方の枠部材２ａ−Ｂ２を接合部材１５で接合してある。隣接する枠部材２ａ（２ａ−Ａ１、２ａ−Ａ１、２ａ−Ｂ１、２ａ−Ｂ１）どうしの連結及び接合部材１４（１５）と枠部材２ａ−Ｂ１、２ａ−Ｂ２との連結は、現場での連結・分離が可能なようにビス止め若しくは係止する構造、又は工場で溶接して組上げた状態で施工現場へ搬入する構造が選択される。支持フレーム２は、接合部材１４，１５に高さ調節可能な脚部材２ｃを備え、洗い場床設置域Ａの所定位置に脚部材２ｃを介して設置される。本例の支持フレーム２は、後方の浴槽設置域Ｂへ延設した浴槽設置用のフレーム部材１６，１６を接合してある。フレーム部材１６，１６は、脚部材２ｃを備え、浴槽設置域Ｂの所定位置に脚部材２ｃを介して設置される。
【００１７】
前記載置部材３は、図２乃至図４に示す如く、合成樹脂又は金属等の素材から成形され、四辺の上方載置面部３ａと、上方載置面部３ａより低い位置の四辺の下方載置面部３ｂと、上方載置面部３ａ及び下方載置面部３ｂに接合する四辺の起立部３ｃとで漏水のない状態に一体成形され、支持フレーム２の四辺に沿って連なる環状に形成されている。載置部材３は、プレス成型等で環状に一体成型してもよく、または、押し出し成型等で四本の棒状にしたものを水密に接合して環状にしたものであってもよい。本例の下方載置面部３ｂは、中空状又は中実状（図示略）に嵩上げ形成されて、支持フレーム２の設置面部２ｂに底面３ｆを当接させると共に、上面の四辺に沿って環状に連なる嵌着用凹溝３ｇを設けて、嵌着用凹溝３ｇに後述するシール部材６を嵌着させてある。下方載置面部３ｂは、嵩上げ形成することで、後述するシール部材６の厚み寸法と、洗い場床５の脚部５ｃの高さ寸法との調整を行っている。下方載置面部３ｂは、図２に示す後側の他方の枠部材２ａ−Ａ２と対面する領域、及び、図３に示す左側の一方の枠部材２ａ−Ｂ１と対面する領域の各々に、連結具７を取り付けるための挿入部３ｈを形成してある。載置部材３は、四辺の上方載置面部３ａの外側縁部から連続した四辺の水返し部３ｋを立設してある。
【００１８】
前記載置部材３は、図２及び図３に示す如く、支持フレーム２の四辺を形成する枠部材２ａの内側に四辺の下方載置面部３ｂを内嵌させ、上方載置面部３ａから支持フレーム２の一方の枠部材２ａ−Ａ１（２ａ−Ｂ１）の外側下方へ延びる一方の連結片部３ｄを、一方の枠部材２ａ−Ａ１（２ａ−Ｂ１）の外側からビス等の連結具７で一方の枠部材２ａ−Ａ１（２ａ−Ｂ１）に連結すると共に、上方載置面部３ａから支持フレーム２の他方の枠部材２ａ−Ａ２（２ａ−Ｂ２）の内側下方へ延びる他方の連結片３ｅ（本例の場合いには下方載置面部３ｂの一部で形成されている）を、載置部材３の内側から連結具７で他方の枠部材２ａ−Ａ２（２ａ−Ｂ２）に連結してある。支持フレーム２の内側に載置部材３の下方載置面部３ｂを内嵌させる態様としては、図６（Ｂ）に示す如く、支持フレーム２の内側に載置部材３の下方載置面部３ｂを隙間バメ嵌合で内嵌させて、一方の枠部材２ａ−Ａ１に一方の連結片部３ｄを隙間無く当接させると共に、他方の枠部材２ａ−Ａ２に他方の連結片３ｅを隙間無く当接させる両者当接態様（前者の態様）と、図８（Ａ）（Ｂ）に示す如く、支持フレーム２の内側に載置部材３の下方載置面部３ｂを隙間バメ嵌合で内嵌させて、他方の枠部材２ａ−Ａ２と他方の連結片３ｅの間に隙間を形成するか又は一方の枠部材２ａ−Ａ１と一方の連結片部３ｄの間に隙間Ｇを形成する片側当接態様（後者の態様）とが有り得る。本発明洗い場構造１は、仮に後者の態様の場合になったとしても、形成される隙間Ｇの寸法が小さいため、図８（Ｃ）に示す如く、支持フレーム２の一方の枠部材２ａ−Ａ１に対して載置部材３の一方の連結片３ｄを当接又は接近させると共に、支持フレーム２の他方の枠部材２ａ−２に対して載置部材３の他方の連結片３ｅを当接又は接近させるように連結具７で連結することが可能となり、連結具７の連結力で載置部材３の一方の連結片３ｄや他方の連結片３ｅに大きな残留応力を生じさせることがなく、載置部材３を支持フレーム２に安定良く連結することができる。
【００１９】
前記載置部材３を支持フレーム２に連結する別態様としては、図９に示す如く、載置部材３の下方載置面部３ｂの下方から内側へ向かって連結片３ｍを延設させ、該連結片３ｍを支持フレーム２の設置面部２ｂに連結具７で連結することができる。この別態様の連結構造では、支持フレーム２の内側に載置部材３の下方載置面部３ｂを隙間バメ嵌合で内嵌させることがあったとしても、図８の態様に比べて載置部材３の一方の連結片３ｄや他方の連結片３ｅに、連結具７の連結に起因する残留応力が生じないため、載置部材３を支持フレーム２に更に安定良く連結することができる。
【００２０】
前記シール部材６は、軟質ゴム又は軟質合成樹脂等の素材から下方載置面部３ｂの四辺に沿って連なって延びる環状に成形され、載置部材３の環状の嵌着用凹溝３ｇに嵌着された状態で載置部材３の下方載置面部３ｂの四辺と洗い場床５の下面５ａの間に、両方へ水密状に接するように配置されている。シール部材６は、載置部材３の下方載置面部３ｂと洗い場床５の下面５ａで挟圧されて保持されることで、内部に蓄える反発弾性力で両方へ水密状に圧接するようになっている。なお、シール部材６は、図示は省略したが、押出成形された四本の棒状又は帯板状の部材を水密に接合して四辺を形成した中空状ものとすることもある。
【００２１】
前記洗い場床５は、図２乃至図４に示す如く、ＦＲＰ等の素材から防水性を有するように成形され、載置部材３の四辺の下方載置面部３ｂの上側で且つ起立部３ｃの内側に位置する床面部５ｄと、床面部５ｄの下面５ａに環状又は適宜間隔を開けて設けた脚部５ｃと、床面部５ｄの後縁から延設した接合部５ｅと、床面部５ｄに設けた排水口部５ｆを備えている。洗い場床５は、下面５ａにリブ（図示略）が設けられ、入浴者の体重が負荷されても撓み難くしてある。洗い場床５は、床面部５ｄの前寄りに適宜個数の係止片１７が取付けられ、図２に示す如く、支持フレーム２に支持された状態で、支持フレーム２の設置面部２ｂに係止片１７を係止片１７の弾性力で係合させて、脚部５ｃと係止片１７で設置面部２ｂを挟み込むようにしてある。洗い場床５は、後側の接合部５ｅを、載置部材３の上方載置面部３ａに載置させると共に、支持フレーム２の他方の枠部材２ａ−Ａ２にビス等で連結１８してある。本例の洗い場床５は、後側の接合部５ｅの上方に、エプロン１９が配置されるようになっている。洗い場床５を設置した後は、洗い場床５と載置部材３の起立部３ｃとの間の隙間を埋めるため、乾式目地材からなる止水材２０を打ち込んである。止水材２０は、図１０に示すようなシリコンコーキングでもよく、その場合には載置部材３に切欠きを設けてシリコンポケット３ｎを形成し、止水性を高めるようにしてもよい。
【００２２】
前記平面ポスト１１は、図１１に示す如く、載置部材３の上方載置面部３ａに起立した状態で載置され、支持フレーム２の枠部材２ａに連結片２２及びビス等の連結具７，７を用いて連結してある。前記コーナーポスト１０は、図示は省略したが、平面ポスト１１と同様に、支持フレーム２の枠部材２ａに連結片２２及びビス等の連結具７，７を用いて連結してある。
【００２３】
前記出入り口扉ユニット８は、図１に示す如く、載置部材３の上方載置面部３ａに枠部８ａが起立した状態で載置され、枠部８ａの起立両側部をコーナーポスト１０及び平面ポスト１１に連結すると共に、図１２に示す如く、枠部８ａの底辺部を隣接する部屋の床面２３にビス止め等で接合されている。本例の本発明洗い場構造１は、枠部８ａの底辺部に接する載置部材３の水返し部３ｋの部分を、軟質素材で成形して枠部８ａの底辺部に沿った上り傾斜状態で折り曲げ変形させることで、枠部８ａを設置するときに従来行っていた水返し部３ｋの切除を省略できるようにしてある。水返し部３ｋは、全周にわたって軟質素材で成形してもよい。
【００２４】
本発明洗い場構造１は、図２及び図３に示す如く、シール部材６、載置部材３の下方載置面部３ｂ及び起立部３ｃで囲まれた環状水受け空間部Ｕが形成され、環状水受け空間部Ｕが洗い場床５の後側を除く三辺の縁部５ｂ及び壁パネル４の表面４ａと通じるようなっており、そこを止水材２０によって塞いでいる。もし万一止水材２０の一部が切れてしまった場合にも、洗い場床５の縁部５ｂから止水材２０の切れた箇所を通過して漏れ出した水を環状水受け空間部Ｕで受け止めて、洗い場床５の裏面側Ｄへ漏水させることのない確実な止水構造を得ている。本例において環状水受け空間部Ｕは、壁パネル４が設けられない後側（浴槽設置域Ｂ側）にも設けられている。また、本発明洗い場構造１は、壁パネル４の裏側に水が回ってしまった場合にも、水返し部３ｋ、上方載置面部３ａ及び壁パネル４で囲まれた空間部Ｓで水を受けとめることで漏水を防いでいる。この空間部Ｓは、図２に示す如く、壁パネル４が設けられない後側（浴槽設置域Ｂ側）にも設けられ、環状全体にわたって略同一の横断面積となるように形成され、仮に空間部に水が溜まったときに、浴室の振動等で空間部内の水が移動しても、空間部内を分散するように移動することで漏水しないようにしてある。
【００２５】
更に、本発明洗い場構造１は、支持フレーム２の設置面部２ｂに、載置部材３を設置させると共に洗い場床５の脚部５ｃを支持させることで、支持フレーム２の設置面部２ｂと洗い場床５の下面５ａの間に、下方載置面部３ｂと洗い場床５の下面５ａで挟圧してシール部材６を弾性変形させるだけの一定の寸法を確保して、下方載置面部３ｂ及び洗い場床５に対するシール部材６の確実な水密性を得ることができる。更に、本発明洗い場構造１は、洗い場床５に負荷する荷重の大半が載置部材３を介することなく支持フレーム２へ伝達されるため、洗い場床５の荷重を受けることのない載置部材を支持フレーム２に安定良く設置さることになる。
【００２６】
また、本発明洗い場構造１は、載置部材３の下方載置面部３ｂの四辺と洗い場床５の下面５ａの間に、両方へ水密状に接するシール部材６が配置されているため、従来の洗い場床を壁パネルに接近させて止水する構造を採用する必要がなくなり、壁パネルに傷を付け難い施工態様にできる。
【００２７】
前記本発明洗い場構造１を得るための本発明施工方法は、以下に説明する第１工程乃至第５工程からなる。
【００２８】
第１工程は、施工現場の洗い場床設置域Ａに、洗い場床設置域Ａの四辺の下側を構成するように四辺の枠状に形成された支持フレーム２を設置することである。
【００２９】
第２工程は、支持フレーム２に、四辺の上方載置面部３ａ、上方載置面部３ａより低い位置の四辺の下方載置面部３ｂ及び上方載置面部３ａと下方載置面部３ｂを連結する四辺の起立部３ｃから、支持フレーム２の四辺に沿って環状に一体成型または別体部材を水密に接合して環状となした載置部材３を設置することである。
【００３０】
第３工程は、載置部材３の四辺の下方載置面部３ｂに、下方載置面部３ｂの四辺に沿って延びる環状のシール部材６を配置することである。
【００３１】
第４工程は、載置部材３の上方載置面部３ａの任意箇所に壁パネル４及び出入り口扉ユニット８を載置することである。
【００３２】
第５工程は、載置部材３の四辺の下方載置面部３ｂ及び洗い場床５の下面５ａにシール部材６を水密状に当接させるように洗い場床５を支持フレーム２に支持させることである。
【００３３】
（施工の順番）
順番のその１は、第１工程、第２工程、第３工程、第４工程及び第５工程の順番で施工することである。
順番のその２は、第１工程、第３工程、第２工程、第４工程及び第５工程の順番で施工することである。
順番のその３は、第１工程、第２工程、第４工程、第３工程及び第５工程の順番で施工することである。
順番のその４は、第１工程、第２工程、第３工程、第５工程及び第４工程の順番で施工することである。
【００３４】
本発明施工方法は、支持フレーム２上に環状の載置部材３を設置する第２工程と、載置部材３上にシール部材６を配置する第３工程で確実な止水構造の本発明洗い場構造１を得ることができるため、施工が簡易となり、施工者によるバラツキもなく、また、施工手順を変えることが可能なため、現場に応じた施工手順を採用することができる。
【符号の説明】
【００３５】
１…本発明洗い場構造、２…支持フレーム、２ａ…枠部材、２ａ−Ａ１…一方（前）の枠部材、２ａ−Ａ２…他方（後）の枠部材、２ａ−Ｂ１…一方（左）の枠部材、２ａ−Ｂ２…他方（右）の枠部材、２ｂ…設置面部、２ｃ…脚部材、３…載置部材、３ａ…上方載置面部、３ｂ…下方載置面部、３ｃ…起立部、３ｄ…一方の連結片部、３ｅ…他方の連結片部、３ｆ…底面、３ｇ…嵌着用凹溝、３ｈ…挿入部、３ｋ…水返し部、３ｍ…連結片、３ｎ…シリコンポケット、４…壁パネル、４ａ…表面、５…洗い場床、５ａ…下面、５ｂ…三辺の縁部、５ｃ…脚部、５ｄ…床面部、５ｅ…浴槽設置域側（後側）の接合部、５ｆ…排水口部、６…シール部材、７…連結具、８…出入り口扉ユニット、８ａ…枠部、１０…コーナーポスト、１１…平面ポスト、１２…連結、１４…接合部材（長尺）、１５…接合部材（短尺）、１６…フレーム部材、１７…係止片、１８…連結、１９…エプロン、２０…止水材、２２…連結片、２３…床面、Ａ…洗い場床設置域、Ｂ…浴槽設置域、Ｄ…洗い場床５の裏面側、Ｓ…空間部、Ｕ…環状水受け空間部
【図１】
0005792547.tif 000002
【図２】
0005792547.tif 000003
【図３】
0005792547.tif 000004
【図４】
0005792547.tif 000005
【図５】
0005792547.tif 000006
【図６】
0005792547.tif 000007
【図７】
0005792547.tif 000008
【図８】
0005792547.tif 000009
【図９】
0005792547.tif 000010
【図１０】
0005792547.tif 000011
【図１１】
0005792547.tif 000012
【図１２】
0005792547.tif 000013